(57)【要約】【課題】構成部品の少数化を図り、全体構造の簡素化や組み立て作業の容易化などを適切に図ることが可能な燃焼装置を提供する。【解決手段】バーナ本体５０がそれぞれ収容された第１および第２の燃焼室２５Ａ，２５Ｂを内部に形成しているバーナケース２と、このバーナケース２内に燃焼用の空気を供給するファン３０と、バーナケース２内に設けられ、かつ第１および第２の燃焼室２５Ａ，２５Ｂの相互間を仕切る仕切り部Ｐと、を備えており、仕切り部Ｐは、互いに対向する第１および第２の仕切りプレート６，７を有し、これら第１および第２の仕切りプレート６，７は、これらの相互間にファン３０から送られてきた空気が通過する空気流路３８を形成しているとともに、これら第１および第２の仕切りプレート６，７どうしを相互に連結させる少なくとも１組の係合部Ｅ１，Ｅ２を備えている。【選択図】  図５
2018100797.tif 000002
【特許請求の範囲】
【請求項１】
バーナ本体がそれぞれ収容された第１および第２の燃焼室を内部に形成しているバーナケースと、
このバーナケース内に燃焼用の空気を供給するためのファンと、
前記バーナケース内に設けられ、かつ前記第１および第２の燃焼室の相互間を仕切る仕切り部と、
を備えており、
前記仕切り部は、互いに対向する第１および第２の仕切りプレートを有し、
これら第１および第２の仕切りプレートは、これらの相互間に前記ファンから送られてきた空気が通過する空気流路を形成しているとともに、これら第１および第２の仕切りプレートどうしを相互に連結させるための少なくとも１組の係合部を備えていることを特徴とする、燃焼装置。
【請求項２】
請求項１に記載の燃焼装置であって、
前記第１の仕切りプレートは、前記第１および第２の燃焼室の相互間の底部から前記バーナケース内の略最上部の位置まで延びた起立姿勢とされ、かつ前記第１および第２の燃焼室のそれぞれのバーナ本体どうしの相互間も仕切るように設けられており、
前記第２の仕切りプレートは、前記第１の仕切りプレートよりも上下高さ寸法が小さくされ、かつ前記第１の仕切りプレートのうち、少なくとも前記バーナ本体の炎孔面よりも上方の領域の片面を覆うように設けられているとともに、前記空気流路に流入した空気を前記第２の仕切りプレートの表面に沿って流れるように流出させる空気流出口を有している、燃焼装置。
【請求項３】
請求項２に記載の燃焼装置であって、
前記第１の仕切りプレートの両側縁部には、上下高さ方向に延び、かつ前記バーナケースの一対の側壁部に対面接触した状態で固定される一対の取付け用フランジ部が連設されている、燃焼装置。
【請求項４】
請求項１ないし３のいずれかに記載の燃焼装置であって、
前記係合部として、
前記第１および第２の仕切りプレートの上部どうしを相互に固定させるように連結する上側係合部と、
この上側係合部よりも下方において前記第１および第２の仕切りプレートの一部分どうしの位置規制を図るための下側係合部と、
を備えており、
前記下側係合部は、前記第１の仕切りプレートに設けられ、かつ前記第２の仕切りプレートから離間する方向に窪んだ係合用凹部と、この係合用凹部に先端部が係入するように前記第２の仕切りプレートの下部から前記第１の仕切りプレート側に向けて部分的に突設された爪状の係合用凸部と、を組み合わせて構成されており、
前記第２の仕切りプレートの下部と前記第１の仕切りプレートとの相互間には、前記空気流路への空気流入を行なわせるための下向き開口部が形成されている、燃焼装置。
【請求項５】
請求項４に記載の燃焼装置であって、
前記第１の仕切りプレートには、片面側が前記係合用凹部であり、かつこれとは反対の片面側が凸状の段押し部が形成されており、
この段押し部の凸状部分は、前記複数のバーナ本体のうち、前記第１の仕切りプレートに隣接するバーナ本体との当接を図るための部分とされている、燃焼装置。
【請求項６】
請求項４または５に記載の燃焼装置であって、
前記第１および第２の仕切りプレートの上部には、互いに上下方向において重ね合わせされる略水平な板状の第１および第２の水平板部が設けられており、
前記上側係合部は、前記第１の水平板部に設けられ、かつ上下高さ方向に貫通した係合用孔部と、この係合用孔部に挿通するように前記第２の水平板部から上下高さ方向に突出した係合用突起部と、を組み合わせて構成されている、燃焼装置。
【請求項７】
請求項６に記載の燃焼装置であって、
前記第２の水平板部は、前記第１の水平板部の上側に重ね合わされており、かつ前記第２の水平板部上にシール用パッキンが載せられたときに、このシール用パッキンが前記第１および第２の仕切りプレートの対向方向に位置ずれすることを防止するための複数の上向き突起部を有している、燃焼装置。
【請求項８】
請求項１ないし７のいずれかに記載の燃焼装置と、
この燃焼装置の前記複数のバーナ本体を利用して発生された燃焼ガスから熱回収を行なうことにより湯水加熱を行なうことが可能な熱交換器と、
を備えていることを特徴とする、給湯装置。
【発明の詳細な説明】
【技術分野】
【０００１】
本発明は、給湯装置の構成要素などとして用いるのに好適な燃焼装置、およびこれを備えた給湯装置に関する。
【背景技術】
【０００２】
燃焼装置の具体例として、特許文献１〜３に記載のものがある。
これらの文献に記載された燃焼装置は、バーナケース内に、複数のバーナ本体(燃焼管)を収容し、かつ前記バーナケース内に仕切り部を設けることによって、前記バーナケース内が第１および第２の燃焼室に仕切られている。バーナケース内には、ファンから燃焼用の空気が供給されるように構成され、第１および第２の燃焼室のそれぞれのバーナ本体は、個別に駆動燃焼可能とされている。
【０００３】
特許文献１，２においては、仕切り部が３枚の仕切りプレートを利用して構成されている。これら３枚の仕切りプレートは、中央の仕切りプレートとその両側に位置する仕切りプレートとの相互間に空気流路を形成し、かつこの空気流路には、ファンから供給される空気が流通するように構成されている。このことにより、バーナ本体の駆動燃焼時において、各仕切りプレートが異常な高温に加熱されて熱損傷することを防止することが可能である。
特許文献３においては、仕切り部が２枚の仕切りプレートを用いて構成されており、これらの相互間にファンから空気が供給されることによって各仕切りプレートが異常な高温に加熱されないように構成されている。
【０００４】
しかしながら、前記従来技術においては、次に述べるように、未だ改善すべき余地があった。
【０００５】
すなわち、特許文献１，２に記載されているように、３枚の仕切りプレートを用いて仕切り部を構成した場合には、仕切りプレートの総数が多いため、製造コストが高価となる。
一方、特許文献３に記載されているように、２枚の仕切りプレートを用いて仕切り部を構成した場合には、特許文献１，２と比較して、製造コストを低減することが可能である。ところが、特許文献３においては、２枚の仕切りプレートを相互に連結させるようなことなく、バーナケース内に個々に組み付けられた構成とされている。このため、２つの仕切りプレートの取付け作業が煩雑となり、生産性を高めて製造コストの低減化を図る上では、未だ改善の余地がある。
【先行技術文献】
【特許文献】
【０００６】
【特許文献１】特許第５８７１１６７号公報
【特許文献２】特許第４２５２９７１号公報
【特許文献３】特許第５１８６４４０号公報
【発明の概要】
【発明が解決しようとする課題】
【０００７】
本発明は、前記したような事情のもとで考え出されたものであり、構成部品の少数化を図り、全体構造の簡素化や組み立て作業の容易化などを適切に図ることが可能な燃焼装置、およびこれを備えた給湯装置を提供することを、その課題としている。
【課題を解決するための手段】
【０００８】
上記の課題を解決するため、本発明では、次の技術的手段を講じている。
【０００９】
本発明の第１の側面により提供される燃焼装置は、バーナ本体がそれぞれ収容された第１および第２の燃焼室を内部に形成しているバーナケースと、このバーナケース内に燃焼用の空気を供給するためのファンと、前記バーナケース内に設けられ、かつ前記第１および第２の燃焼室の相互間を仕切る仕切り部と、を備えており、前記仕切り部は、互いに対向する第１および第２の仕切りプレートを有し、これら第１および第２の仕切りプレートは、これらの相互間に前記ファンから送られてきた空気が通過する空気流路を形成しているとともに、これら第１および第２の仕切りプレートどうしを相互に連結させるための少なくとも１組の係合部を備えていることを特徴としている。
【００１０】
このような構成によれば、次のような効果が得られる。
すなわち、バーナケース内の第１および第２の燃焼室を仕切る仕切り部は、第１および第２の仕切りプレートを組み合わせて構成されており、仕切りプレートの総数を少なくすることが可能である。加えて、第１および第２の仕切りプレートは、係合部を利用して相互に連結されるために、これら第１および第２の仕切りプレートを一括してバーナケース内に組み込むことができる他、これら第１および第２の仕切り部のうちのいずれか一方のみをバーナケースに固定させることによって、これら全体をバーナケース内の所定箇所に固定させるといったことが可能となる。つまり、第１および第２の仕切りプレートのそれぞれを個別にバーナケースに取付ける煩雑さを無くすことが可能である。したがって、本発明においては、仕切り部の構成部品の少数化、組み立て作業の容易化により生産性を高め、燃焼装置の製造コストを低減することができる。
第１および第２の仕切りプレートは、空気流路を流通する空気を利用して冷却することが可能であり、これらの部材が燃焼装置の燃焼駆動時に熱損傷するといったことも適切に防止することが可能である。
【００１１】
本発明において、好ましくは、前記第１の仕切りプレートは、前記第１および第２の燃焼室の相互間の底部から前記バーナケース内の略最上部の位置まで延びた起立姿勢とされ、かつ前記第１および第２の燃焼室のそれぞれのバーナ本体どうしの相互間も仕切るように設けられており、前記第２の仕切りプレートは、前記第１の仕切りプレートよりも上下高さ寸法が小さくされ、かつ前記第１の仕切りプレートのうち、少なくとも前記バーナ本体の炎孔面よりも上方の領域の片面を覆うように設けられているとともに、前記空気流路に流入した空気を前記第２の仕切りプレートの表面に沿って流れるように流出させる空気流出口を有している。
【００１２】
このような構成によれば、第１および第２の燃焼室の相互間を第１の仕切りプレートによって気密性の高い状態に仕切ることが可能であり、第１および第２の燃焼室の一方から他方へ燃焼ガスなどが漏れる不具合を適切に防止することが可能である。一方、第２の仕切りプレートは、第１の仕切りプレートと協働して空気流路を形成し、第１の仕切りプレートが熱損傷することを阻止するいわゆる遮熱板としての役割を適切に果たす。前記構成においては、第２の仕切りプレートが第１の仕切りプレートよりも小サイズに形成されているため、仕切り部を構成する材料の節約を図り、製造コストをより低減することが可能である。
【００１３】
本発明において、好ましくは、前記第１の仕切りプレートの両側縁部には、上下高さ方向に延び、かつ前記バーナケースの一対の側壁部に対面接触した状態で固定される一対の取付け用フランジ部が連設されている。
【００１４】
このような構成によれば、第１の仕切りプレートをバーナケースに適切かつ強固に固定
させることができ、この第１の仕切りプレートに係合される第２の仕切りプレートの取付け状態も安定させることが可能となる。一対の取付け用フランジ部は、上下高さ方向に延びてバーナケースの一対の側壁部に対面接触するため、これらの相互間にシール用パッキンを介在させるような必要もなくすことが可能となる。
【００１５】
本発明において、好ましくは、前記係合部として、前記第１および第２の仕切りプレートの上部どうしを相互に固定させるように連結する上側係合部と、この上側係合部よりも下方において前記第１および第２の仕切りプレートの一部分どうしの位置規制を図るための下側係合部と、を備えており、前記下側係合部は、前記第１の仕切りプレートに設けられ、かつ前記第２の仕切りプレートから離間する方向に窪んだ係合用凹部と、この係合用凹部に先端部が係入するように前記第２の仕切りプレートの下部から前記第１の仕切りプレート側に向けて部分的に突設された爪状の係合用凸部と、を組み合わせて構成されており、前記第２の仕切りプレートの下部と前記第１の仕切りプレートとの相互間には、前記空気流路への空気流入を行なわせるための下向き開口部が形成されている。
【００１６】
このような構成によれば、上側係合部と下側係合部とを利用して第１および第２の仕切りプレートどうしを適切かつ効率よく組み付けることができる。下側係合部が空気流路への空気流入を阻害するような不具合もない。
【００１７】
本発明において、好ましくは、前記第１の仕切りプレートには、片面側が前記係合用凹部であり、かつこれとは反対の片面側が凸状の段押し部が形成されており、この段押し部の凸状部分は、前記複数のバーナ本体のうち、前記第１の仕切りプレートに隣接するバーナ本体との当接を図るための部分とされている。
【００１８】
このような構成によれば、第１の仕切りプレートに形成された段押し部を、第２の仕切りプレートの爪状の係合用凸部と係合する係合用凹部として利用できるばかりか、第１の仕切りプレートとバーナ本体との当接によるこれらの相対的な位置決めにも利用することができる。したがって、その構成は合理的であり、構成の簡素化を図る上で有利である。
【００１９】
本発明において、好ましくは、前記第１および第２の仕切りプレートの上部には、互いに上下方向において重ね合わされる略水平な板状の第１および第２の水平板部が設けられており、前記上側係合部は、前記第１の水平板部に設けられ、かつ上下高さ方向に貫通した係合用孔部と、この係合用孔部に挿通するように前記第２の水平板部から上下高さ方向に突出した係合用突起部と、を組み合わせて構成されている。
【００２０】
このような構成によれば、上側係合部の全体構成を簡易にしつつ、第１および第２の仕切りプレートの上部が水平方向や上下高さ方向に大きくガタツキを生じないように連結することが可能である。
【００２１】
本発明において、好ましくは、前記第２の水平板部は、前記第１の水平板部の上側に重ね合わされており、かつ前記第２の水平板部上にシール用パッキンが載せられたときに、このシール用パッキンが前記第１および第２の仕切りプレートの対向方向に位置ずれすることを防止するための複数の上向き突起部を有している。
【００２２】
このような構成によれば、第２の水平板部とは別部材を用いるようなことなく、第２の水平板部上にシール用パッキンを位置ずれのない状態に適切に載設することができる。
【００２３】
本発明の第２の側面により提供される給湯装置は、本発明の第１の側面により提供される燃焼装置と、この燃焼装置の前記複数のバーナ本体を利用して発生された燃焼ガスから熱回収を行なうことにより湯水加熱を行なうことが可能な熱交換器と、を備えていること
を特徴としている。
【００２４】
このような構成によれば、本発明の第１の側面により提供される燃焼装置について述べたのと同様な効果が得られる。
【００２５】
本発明のその他の特徴および利点は、添付図面を参照して以下に行なう発明の実施の形態の説明から、より明らかになるであろう。
【図面の簡単な説明】
【００２６】
【図１】本発明に係る給湯装置の一例を示す要部正面断面図である。
【図２】図１のII−II断面図である。
【図３】（ａ）は、図１に示す給湯装置で用いられている燃焼装置の概略斜視図であり、（ｂ）は、（ａ）のIII−III要部拡大断面図である。
【図４】図３（ａ）の要部分解斜視図である。
【図５】図１の要部拡大正面断面図である。
【図６】図５に示す仕切り部を構成する第１および第２の仕切りプレートの分解斜視図である。
【図７】図６に示す第１および第２の仕切りプレートの側面断面図である。
【図８】図６および図７に示す第１および第２の仕切りプレートの組み付け状態の側面断面図である。
【図９】（ａ）は、図６ないし図８に示す第２の仕切りプレートの上部の係合用突起部を形成する工程を示す要部断面図であり、（ｂ）は、（ａ）との対比例を示す要部断面図である。
【発明を実施するための形態】
【００２７】
以下、本発明の好ましい実施の形態について、図面を参照して具体的に説明する。
【００２８】
図１および図２に示す給湯装置ＷＨは、一般給湯と風呂給湯、あるいは一般給湯と暖房給湯などの２系統の給湯動作が可能なものであり、その基本的な構成自体は、特許文献１に記載されたものと同様である。したがって、給湯装置ＷＨの全体構成については比較的簡単に説明する。
【００２９】
給湯装置ＷＨは、燃焼装置Ｂと、熱交換器ＨＥとを備えている。燃焼装置Ｂの詳細については後述するが、この燃焼装置Ｂは、燃料ガスを燃焼させる複数のバーナ本体５０（燃焼管）を内部に収容するバーナケース２、このバーナケース２内を第１および第２の燃焼室２５Ａ，２５Ｂに仕切る仕切り部Ｐ、バーナケース２内に燃焼用の空気を供給するファン３０を備えている。
【００３０】
熱交換器ＨＥは、燃焼装置Ｂによって発生させた燃焼ガスから熱回収を行なって湯水加熱を行なうためのものであり、バーナケース２の上側に載設された缶体１内に、複数のフィン１９ａ，１９ｂに貫通した平面視蛇行状の伝熱管Ｔａ，Ｔｂが収容され、かつそれらの相互間が仕切部材１８によって仕切られた構成である。第１および第２の燃焼室２５Ａ，２５Ｂにおいてそれぞれ発生された燃焼ガスは、伝熱管Ｔａ，Ｔｂに作用して熱回収がなされ、これらの内部を流通する湯水が加熱される。伝熱管Ｔａから出湯する湯水は一般給湯に利用され、伝熱管Ｔｂから出湯する湯水は風呂給湯または暖房給湯に利用される。図面では省略しているが、熱交換器ＨＥ（１次熱交換器）の上側には、熱交換器ＨＥを利用して顕熱回収を終えた燃焼ガスから潜熱をさらに回収するための２次熱交換器を設けた構成とすることが可能である。２次熱交換器に代えて、排気集合筒（熱交換器ＨＥを通過した燃焼ガスを外部に排気するための部材）などを設けた構成とすることもできる。
【００３１】
図３および図４によく現われているように、燃焼装置Ｂは、既述した複数のバーナ本体５０を収容するバーナケース２、および仕切り部Ｐに加え、一対のサイドプレート４なども備えている。
【００３２】
バーナケース２は、上面が開口した略直方体状であり、このバーナケース２の整流板８（図１参照）上に複数のバーナ本体５０が横並び状に設けられている。各バーナ本体５０は、たとえば特開２０１３−２４２０８０号公報などに記載された従来既知のものと同様であり、全体が比較的偏平状であって、燃料ガス導入口５１、および上面部に位置する炎孔面５２を有している。図２に示すように、バーナケース２の側壁部２０（２０Ｂ）の側部には、燃料ガス供給用のヘッダ３１が配され、かつこのヘッダ３１のノズル３２から側壁部２０Ｂの開口部２２を介して燃料ガス導入口５１に燃料ガスを噴出可能である。一方、燃料ガス導入口５１には、ファン３０から吐出された燃焼用空気（１次空気）も供給され、前記燃料ガスは炎孔面５２において燃焼する。整流板８には、複数の通気孔８０が設けられており、ファン３０からバーナケース２内に供給された空気のうち、一部の空気（２次空気）は、通気孔８０を通過して複数のバーナ本体５０の設置領域に供給される。第１の燃焼室２５Ａのバーナ本体５０と、第２の燃焼室２５Ｂのバーナ本体５０とは個別に燃焼駆動させることが可能である。
【００３３】
図３および図４において、一対のサイドプレート４は、バーナケース２の一対の側壁部２０（２０Ａ，２０Ｂ）がバーナ本体５０の燃焼駆動に起因して高温に加熱されることを防止するための部材であり、耐熱性に優れたたとえばステンレス鋼板にプレス加工を施して形成されている。各サイドプレート４と側壁部２０との間には、断熱用の隙間３９（図２参照）が形成されている。また、各サイドプレート４は、複数のバーナ本体５０を位置決め固定させるための複数のバーナ保持片部４２なども有している。
なお、図１には、バーナケース２の他の一対の側壁部２６を保護するための遮熱用のサイドプレート４Ａが示されているが、他の図面ではこれを省略している。
【００３４】
図５に示すように、仕切り部Ｐは、上側係合部Ｅ１および下側係合部Ｅ２を介して互いに対向して連結された第１および第２の仕切りプレート６，７を用いて構成されている。本実施形態においては、第１の仕切りプレート６は、第１および第２の燃焼室２５Ａ，２５Ｂの相互間で燃焼ガスなどのガスができる限り流通しないように仕切るための部材であるのに対し、第２の仕切りプレート７は、第１の仕切りプレート６がバーナ本体５０の駆動燃焼時に熱損傷することを防止するための遮熱板としての役割を果たす部材とされている。したがって、第１の仕切りプレート６には、第２の仕切りプレート７に設けられている後述の空気流出口７８ａ，７８ｂに相当する部分は設けられておらず、また仮に設けられているとしても、その数は少なく、または開口面積は小さくされている。第１および第２の仕切りプレート６，７の相互間には、下部開口状の空気流路３８が設けられており、ファン３０からバーナケース２内に供給された燃焼用空気の一部が空気流路３８内を流通することにより、第１および第２の仕切りプレート６，７を空冷可能である。
第１および第２の仕切りプレート６，７は、たとえばサイドプレート４と同様に、耐熱性に優れたステンレス鋼板にプレス加工を施して形成されている。
【００３５】
図６〜図８に示すように、第１の仕切りプレート６は、上下方向に起立した略平板状のプレート本体部６０、このプレート本体部６０に設けられた複数の段押し部６２、プレート本体部６０の上部に連設された略水平の細幅な板状の第１の水平板部６３、プレート本体部６０の左右両側縁部に連設されて上下高さ方向に延びる一対の取付け用フランジ部６４ａ，６４ｂ、およびプレート本体部６０の下部に突設された係止用突起６５を有している。この第１の仕切りプレート６は、第１および第２の燃焼室２５Ａ，２５Ｂの相互間の底部（整流板８の上面部）からバーナケース２内の略最上部の位置まで延びた起立姿勢でバーナケース２に固定して取付けられる（図１も参照）。したがって、第１および第２の
燃焼室２５Ａ，２５Ｂのそれぞれのバーナ本体５０どうしの相互間も、第１の仕切りプレート６によって仕切られている。
【００３６】
バーナケース２に対する第１の仕切りプレート６の取付け手段としては、たとえば取付け用フランジ部６４ａ，６４ｂをバーナケース２の側壁部２０に対面接触させてビス止め（不図示）するなど、締結手段を用いてそれらを締結する手段が採用されている。取付け用フランジ部６４ａ，６４ｂ、およびバーナケース２の側壁部２０には、ビス止め用の孔部６６，２７が設けられている（図４も参照）。なお、サイドプレート４には、取付け用フランジ部６４ａ，６４ｂとの干渉を避けて、これら取付け用フランジ部６４ａ，６４ｂを側壁部２０に直接対面接触可能とする切欠き部４０が設けられている。第１の仕切りプレート６の係止用突起６５は、整流板８に設けられている適当な係止用孔（不図示）に挿入係止させることによって、バーナケース２内における第１の仕切りプレート６の位置決めを適切に図るための部分であり、バーナケース２に対する第１の仕切りプレート６の取付けの確実化を図るのにも役立つ。
【００３７】
図６において、第２の仕切りプレート７は、上下高さ方向に起立した主板部７０、この主板部７０の上部に連設された略水平な板状の第２の水平板部７１、この第２の水平板部７１に形成された下向き状の係合用突起部７２、上向き突起部７３ａ，７３ｂ、主板部７０の下部に屈曲水平状の段部７４を介して繋がり、かつこの段部７４から下方に延びた下側板部７５、この下側板部７５の下端部に連設された爪状の係合用凸部７６、および複数の空気流出口７８ａ，７８ｂを備えている。第２の仕切りプレート７の上下幅は、第１の仕切りプレート６の上下幅よりも小さくされている。
【００３８】
図７の要部拡大図によく表われているように、係合用突起部７２は、第２の水平板部７１の一部を部分的に下向きに屈曲させたいわゆる切り起こし加工による突起部であり、この係合用突起部７２には、段押し加工による小突起状の係止用凸部７２ａが設けられている。
図８に示すように、上側係合部Ｅ１は、第１の水平板部６３上に第２の水平板部７１が重ねられ、かつ係合用突起部７２が第１の水平板部６３に設けられている係合用孔部６３ａに挿通して係合した部分である。このような構成によれば、第１および第２の仕切りプレート６，７の上部が互いに水平方向に位置ずれすることは規制される。一方、係止用凸部７２ａは、第１の水平板部６３の下面部に係止し、係合用突起部７２が係合用孔部６３ａから抜け外れることを規制する。このため、互いに重なり合った第１および第２の水平板部６３，７１が容易に離反することもない。
【００３９】
係合用突起部７２を切り起こし加工によって形成する場合、好ましくは、図９（ａ）に示すような構成とされる。すなわち、同図に示すように、第２の水平板部７１に切り起こし加工用のスリットＳを形成する場合、係合用突起部７２の先端面７２ｂの近傍におけるスリット幅Ｌｃはできる限り小さくし、より好ましくは、スリット幅Ｌｃを実質的にゼロにする。これとは異なり、たとえば同図（ｂ）に示すように、スリット幅Ｌｃを大きめに形成した場合においては、係合用突起部７２の長さＬｄを同図（ａ）と同等程度の寸法に確保しようとすると、スリットＳの端部を上向き突起部７３ｂにかなり接近させて形成する必要が生じ、スリットＳの形成加工が困難化する。これに対し、同図（ａ）に示す手段によれば、そのような不具合を回避することが可能である。
【００４０】
図８に示すように、下側係合部Ｅ２は、爪状の係合用凸部７６の先端が段押し部６２の片面側の係合用凹部６２ａに係入し、かつ当接した部分である。このような構成によれば、第２の仕切りプレート７の下部を第１の仕切りプレート６に対して容易に位置ずれしないように位置決め固定させることができる。爪状の係合用凸部７６は、第２の仕切りプレート７の下部に部分的に形成されているため、第１および第２の仕切りプレート６，７の
相互間の空気流路３８の下部を大きく塞ぐようなこともない（図５に示すように、爪状の係合用凸部７６が存在しない箇所においては、空気流路３８の下部が開口し、上向きに進行してくる空気を空気流路３８内に流入させることが可能である）。なお、段押し部６２のうち、係合用凹部６２ａとは反対の片面側は凸状部分であり、この凸状部分は、図５に示すように、第１の仕切りプレート６に隣接するバーナ本体５０の側面部との当接を図るための部分とされている。第２の仕切りプレート７には、隣接するバーナ本体５０の側面部に当接させるための段押し状の凸部７７ｂが形成されている。さらに、第１および第２の仕切りプレート６，７には、複数の追加の段押し状の凸部６１，７７ａも設けられており、これらが互いに当接することにより、第１および第２の仕切りプレート６，７の上下高さ方向の略全長域にわたって所定幅以上の空気流路３８をより適切に形成することが可能である。
【００４１】
第２の仕切りプレート７は、第１の仕切りプレート６とは異なり、バーナケース２には取付けられておらず、前述した上側係合部Ｅ１および下側係合部Ｅ２を介して第１の仕切りプレート６に係合した状態でバーナケース２内に組み込まれている。図５に示すように、第２の仕切りプレート７は、第１の仕切りプレート６の片側のうち、少なくとも各バーナ本体５０の炎孔面５２よりも上方の領域であって、火焔に晒される領域に対向するように設けられており、好ましくは、空気流出口７８ａが各バーナ本体５０の炎孔面５２と略同等高さとなるように設定されている。ファン３０から吐出されて整流板８の通気孔８０を上向きに通過した空気の一部は、空気流路３８に流入した後に空気流出口７８ａ，７８ｂのそれぞれから流出して第２の仕切りプレート７の表面に沿って流れる。空気流路３８には、空気流通が継続して行なわれるため、第２の仕切りプレート７のみならず、第１の仕切りプレート６も空冷され、熱損傷防止が図られる。
【００４２】
熱交換器ＨＥにおいては、仕切部材１８と伝熱管Ｔａとの隙間Ｃａの幅Ｌａ、および仕切部材１８と伝熱管Ｔｂとの隙間Ｃｂの幅Ｌｂは、Ｌａ＜Ｌｂの関係とされている。このため、隙間Ｃｂを通過する燃焼ガスの量は、隙間Ｃａを通過する燃焼ガスの量よりも多くなり、第１および第２の仕切りプレート６，７を比較すると、本来的には、隙間Ｃｂの下方に位置する第２の仕切りプレート７の方が高温に加熱され易い。これに対し、本実施形態においては、第２の仕切りプレート７に空気流出口７８ａ，７８ｂを設け、第２の仕切りプレート７を第１の仕切りプレート６よりもより冷却効果が高いものとされていることにより、第２の仕切りプレート７の熱損傷防止の確実化が図られている。
【００４３】
第２の仕切りプレート７の上向き突起部７３ａ，７３ｂは、シール用パッキン９の位置決め用である。図３に示すように、バーナケース２の上部フランジ２３上には、シール用パッキン９が載設され、バーナケース２と熱交換器ＨＥとの相互間から燃焼ガスなどの漏れを生じないようにされる。シール用パッキン９には、仕切り部Ｐと熱交換器ＨＥの仕切部材１８との相互間に介装される帯状の領域９０が設けられており、この帯状の領域９０は、上向き突起部７３ａ，７３ｂの相互間に配されることによって左右幅方向への不当な位置ずれを生じないようになっている。一方の上向き突起部７３ａは、第２の水平板部７１に切り起こし加工を施すことにより形成されているのに対し、他方の上向き突起部７３ｂは、第２の水平板部７１の先端縁部を屈曲させることにより形成されている。
【００４４】
次に、前記した燃焼装置Ｂおよび給湯装置ＷＨの作用について説明する。
【００４５】
まず、第１および第２の燃焼室２５Ａ，２５Ｂの相互間を仕切る仕切り部Ｐは、第１および第２の仕切りプレート６，７を組み合わせて構成されており、仕切りプレートの総数は少ない。また、第１および第２の仕切りプレート６，７は、上側係合部Ｅ１および下側係合部Ｅ２を利用して相互に連結されており、これらをバーナケース２内に一括して組み込むことが可能である。この組み込み作業に際し、第１の仕切りプレート６についてはバ
ーナケース２に直接取付ける必要はあるものの、第２の仕切りプレート７についてはバーナケース２に直接取付けるための作業を施す必要はない。このようなことから、本実施形態によれば、仕切り部Ｐの構成部品の少数化、組み立て作業の容易化を図り、燃焼装置Ｂの製造コストを低減することが可能である。
【００４６】
第１および第２の仕切りプレート６，７は、既述したように、上側係合部Ｅ１および下側係合部Ｅ２を利用して互いに連結されているが、このような手段によれば、第１および第２の仕切りプレート６，７どうしをビス止めするようなことなく、これらを不当に位置ずれしないように容易に設定することができる。したがって、製造コストをより低減することができる。本実施形態においては、第１の仕切りプレート６によって第１および第２の燃焼室２５Ａ，２５Ｂの相互間において燃焼ガスなどのガスが不当に流入出することを適切に防止し得るとともに、第２の仕切りプレート７を利用して空気流路３８を形成することによって第１および第２の仕切りプレート６，７の双方の熱損傷を適切に防止することができるため、仕切り部Ｐを構成する仕切りプレートの総数を少なくしたことに起因して、不具合を生じるようなこともない。
【００４７】
本発明は、上述した実施形態の内容に限定されない。本発明に係る燃焼装置、および給湯装置の各部の具体的な構成は、本発明の意図する範囲内において種々に設計変更自在である。
【００４８】
上述の実施形態においては、第１および第２の仕切りプレート６，７を、所定の構成の上側係合部Ｅ１および下側係合部Ｅ２を利用して連結させているが、本発明でいう係合部は、これに限定されない。第１および第２の仕切りプレートを相互に連結し得る係合手段であれば、その具体的な構成は限定されない。第１および第２の仕切りプレートの左右両側部に係合部を設けることによって第１および第２の仕切りプレートを連結させるといった手段を採用することも可能である。
【００４９】
第１および第２の仕切りプレートは、必ずしも、一方の第１の仕切りプレートが第１および第２の燃焼室の相互間で燃焼ガスなどが流入出することを阻止する部材とされ、かつ他方の第２の仕切りプレートが第１の仕切りプレートの高温加熱防止を図るための部材とされていなくてもよい。たとえば、第１および第２の仕切りプレートの双方を同様な形状とし、これらの相互間に形成される空気流路の下部から上部に向けて空気流通が行なわれるように構成してもよく、このような構成であっても、第１および第２の仕切りプレートの高温加熱防止を図りつつ、第１および第２の燃焼室の相互間を適切に仕切ることができる。
本発明に係る燃焼装置は、ガス燃焼装置に限らず、オイル燃焼装置として構成することもできる。また、燃焼装置は、給湯装置用に限定されず、暖房装置用、あるいは焼却炉用などの他の用途にも用いることができる。
【符号の説明】
【００５０】
ＷＨ  給湯装置
Ｂ  燃焼装置
Ｅ１  上側係合部
Ｅ２  下側係合部
ＨＥ  熱交換器
Ｐ  仕切り部
２  バーナケース
２５Ａ，２５Ｂ  第１および第２の燃焼室
３０  ファン
３８  空気流路
４  サイドプレート
５０  バーナ本体
６  第１の仕切りプレート
６２  段押し部
６２ａ  係合用凹部
６３  第１の水平板部
６３ａ  係合用孔部
６４ａ，６４ｂ  取付け用フランジ部
６５  係止用突起
７  第２の仕切りプレート
７１  第２の水平板部
７２  係合用突起部
７３ａ，７３ｂ  上向き突起部
７６  係合用凸部
７８ａ，７８ｂ  空気流出口
９  シール用パッキン
【図１】
2018100797.tif 000003
【図２】
2018100797.tif 000004
【図３】
2018100797.tif 000005
【図４】
2018100797.tif 000006
【図５】
2018100797.tif 000007
【図６】
2018100797.tif 000008
【図７】
2018100797.tif 000009
【図８】
2018100797.tif 000010
【図９】
2018100797.tif 000011